(57)【要約】【課題】バヨネット機構部を介して付属品を着脱可能に構成された光学機器におけるバヨネット機構部からの付属品の取り外しを容易なものとする。【解決手段】本発明は付属品を着脱可能なバヨネット機構部を備えた光学機器であって、前記バヨネット機構部は、基端側に設けられた前記回動操作の回動中心軸に直交する平面を有し、前記付属品に当接することにより前記回動操作軸方向の位置決めを行う環状又は円弧状の基準面と、前記基準面上かつ前記付属品の爪部が当接可能な位置に配設され、前記バヨネット機構部に装着された状態の前記付属品を取り外すように回動操作する方向に向かうにつれて、前記基準面から先端側に向かって所定の高さまで起き上がる斜面、を有して構成される。【選択図】図３
2013235074.tif 000002
【特許請求の範囲】
【請求項１】
バヨネット機構部を備え、前記バヨネット機構部に付属品を回動操作することによって着脱可能に構成された光学機器であって、
前記付属品は、前記バヨネット機構部を係合する爪部を有し、
前記バヨネット機構部は、
基端側に設けられた前記回動操作の回動中心軸に直交する平面を有し、前記付属品に当接することにより前記回動操作軸方向の位置決めを行う環状又は円弧状の基準面、
前記基準面から先端方向に離間して前記基準面に対向し、前記回動中心軸周りに複数配設された光学機器側固定爪と、前記複数の光学機器側固定爪の間の円周方向に形成され、先端側から見て前記基準面が露出する部位である複数の爪欠落部と、を有する光学機器バヨネット爪手段、及び
前記基準面上の前記爪欠落部に重なる領域内、かつ前記付属品の前記爪部が当接可能な位置に配設され、前記バヨネット機構部に装着された状態の前記付属品を取り外すように回動操作する方向に向かうにつれて、前記基準面から先端側に向かって所定の高さまで起き上がる斜面、
を有して構成されることを特徴とする光学機器。
【請求項２】
前記光学機器側固定爪と前記基準面との間に配設され、前記光学機器側固定爪と前記基準面との間に挿入された前記付属品の前記爪部を、前記基準面に向かって付勢する押圧部材を有して構成されることを特徴とする請求項１に記載の光学機器。
【請求項３】
前記光学機器側固定爪の先端側の端面は、当該光学機器の外装部材の表面と略同一面上に配置されており、前記外装部材と、前記光学機器側固定爪の先端側の端面との間には、前記回動中心軸周りに円周溝が形成されていることを特徴とする請求項１又は２に記載の光学機器。
【請求項４】
前記付属品は、前記バヨネット機構部に装着された状態において、前記円周溝を塞ぐ環状のカバー部材であり、前記カバー部材は、当該光学機器の外装部材の前面と密着することを特徴とする請求項３に記載の光学機器。
【発明の詳細な説明】
【技術分野】
【０００１】
本発明は、附属品などを回動動作によって脱着可能なバヨネット機構部を有する光学機器に関する。
【背景技術】
【０００２】
カメラ、カメラ用の交換レンズ等の光学機器において、フード、ワイドコンバータ又はクローズアップレンズ等の付属品をいわゆるバヨネット機構部によって、着脱可能としたものがある。例えば特開２００６−９１６６０号公報には、付属品を着脱可能なバヨネット機構部を備えるカメラにおいて、付属品が装着されていない状態のバヨネット機構部を化粧するためのカバー部材が開示されている。
【先行技術文献】
【特許文献】
【０００３】
【特許文献１】特開２００６−９１６６０号公報
【発明の概要】
【発明が解決しようとする課題】
【０００４】
光学機器の小型化の要求に伴い、光学機器に付属品を着脱するために設けられたバヨネット機構部に装着されるカバー部材は、装着時に光学機器の外装からなるべく突出しない形状であることが好ましい。また、カバー部材をバヨネット機構部に装着した場合には、カバー部材と光学機器の外装部材との間の隙間が狭いほど、光学機器の意匠上好ましいものとなる。
【０００５】
しかし、カバー部材を薄くし、さらに装着時においてカバー部材を光学機器の外装部材に密接させた場合、カバー部材に使用者の指が係りにくくなるため、光学機器からカバー部材を取り外す作業が煩わしいものとなってしまう場合がある。
【０００６】
本発明は、上述した点に鑑みてなされたものであって、バヨネット機構部を介して付属品を着脱可能に構成された光学機器におけるバヨネット機構部からの付属品の取り外しを容易なものとすることを目的とする。
【課題を解決するための手段】
【０００７】
本発明の一態様の光学機器は、バヨネット機構部を備え、前記バヨネット機構部に付属品を回動操作することによって着脱可能に構成された光学機器であって、前記付属品は、前記バヨネット機構部を係合する爪部を有し、前記バヨネット機構部は、基端側に設けられた前記回動操作の回動中心軸に直交する平面を有し、前記付属品に当接することにより前記回動操作軸方向の位置決めを行う環状又は円弧状の基準面、前記基準面から先端方向に離間して前記基準面に対向し、前記回動中心軸周りに複数配設された光学機器側固定爪と、前記複数の光学機器側固定爪の間の円周方向に形成され、先端側から見て前記基準面が露出する部位である複数の爪欠落部と、を有する光学機器バヨネット爪手段、及び前記基準面上の前記爪欠落部に重なる領域内、かつ前記付属品の前記爪部が当接可能な位置に配設され、前記バヨネット機構部に装着された状態の前記付属品を取り外すように回動操作する方向に向かうにつれて、前記基準面から先端側に向かって所定の高さまで起き上がる斜面、を有して構成される。
【発明の効果】
【０００８】
本発明によれば、光学機器におけるバヨネット機構部からの付属品の取り外しを容易に行うことが可能となる。
【図面の簡単な説明】
【０００９】
【図１】カバー部材が装着された光学機器の前面側を示す斜視図である。
【図２】光学機器のカバー部材を分離した状態を示す斜視図である。
【図３】バヨネット機構部の正面図である。
【図４】バヨネット機構部の分解斜視図である。
【図５】バヨネット機構部を構成する基準円筒部及び基準面の正面図である。
【図６】カバー部材を基端側から見た図である。
【図７】カバー部材を、爪部よりも先端側で切断した断面と、バヨネット機構部とを重ねて示した図である。
【図８】カバー部材の爪部を、光学機器側固定爪と基準面との間に挿入した状態を示す図である。
【図９】図８のIX-IX断面図である。
【図１０】バヨネット機構部の斜面の作用について説明するための模式図である。
【図１１】バヨネット機構部の斜面の作用について説明するための模式図である。
【図１２】斜面の作用により先端方向に押し出された状態のカバー部材を示す斜視図である。
【発明を実施するための形態】
【００１０】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１１】
本実施形態は、カメラやビデオカメラ、又はカメラ用交換レンズ等の光学機器に本発明を適用したものである。本実施形態では一例として、図１に示すように、光学機器１０１は、ＣＣＤやＣＭＯＳセンサ等の撮像素子１１２を有して構成された、いわゆるデジタルカメラと称される形態
光学機器１０１は、本実施形態では一例として、図１には図示しない箱形状の筐体１２０内に、撮像ユニット１１０、制御装置１０３、及び電源電池を収容する図示しない電池収容室を有して構成されている。筐体１２０の周囲は、カバー１０２によって加飾されている。
【００１２】
制御装置１０３は、演算装置（ＣＰＵ）、記憶装置（ＲＡＭ）、補助記憶装置、入出力装置及び電力制御装置等を具備して構成されており、光学機器１０１の動作を、所定のプログラムに基づいて制御する構成を有している。光学機器１０１、制御装置１０３及び電源電池は、電気的に接続される。
【００１３】
制御装置１０３は、撮像素子１１２の動作の制御、及び撮像素子１１２から出力される信号に基づく画像の生成、が可能に構成されている。また、制御装置１０３は、光学機器１０１が備えるレンズ駆動用の電動モータ等のアクチュエータ類や、フォトインタラプタ等のセンサ類にも電気的に接続されている。
【００１４】
光学機器１０１の前面には、内部に配設された光学機器１０１の光軸Ｏが通過する開口部１２０ａや閃光発光装置１０４等が設けられている。本実施形態では、開口部１２０ａは、透明なガラスが設けられている。なお、光学機器１０１は、光学機器１０１の非撮影時に開口部１２０ａを遮蔽するバリア装置を有する形態であってもよい。
【００１５】
光学機器１０１の上面部にはレリーズスイッチ１０５、電源操作スイッチ１０６等の操作部材が配設されている。また、図示しないが光学機器１０１の側面部又は底面部には電池収容室を開閉するための蓋が設けられている。
【００１６】
また、光学機器１０１の背面部には、例えばレバースイッチ、ダイヤルスイッチ、ボタンスイッチ、タッチセンサ等の、光学機器１０１の動作指示を使用者が入力する入力するための操作部材が設けられている。また、光学機器１０１の背面には、液晶表示装置又はＥＬ表示装置等からなり画像を表示し出力する画像表示装置が設けられている。
【００１７】
撮像ユニット１１０は、被写体像を結像するためのレンズ等の撮像光学系部材と撮像素子１１２を保持するように構成されている。なお、撮像ユニット１１０は、撮像素子１１２を保持しない形態であってもよい。また、撮像ユニット１１０は、光学機器１０１に対して着脱可能な形態であってもよい。
【００１８】
本実施形態では一例として、撮像ユニット１１０が保持する撮像光学系部材は、一例としてプリズム１１１を含んでおり、プリズム１１１によって光軸Ｏを屈曲させる、いわゆる光路反射型、折り曲げ光学系、又は屈曲光学系等と称される形態を有している。本実施形態の光学機器１０１では、光学機器１０１の被写体に面する側（前方）から入射する光を、プリズム１１１によって略９０度屈曲させる構成を有する。なお、撮像光学系部材の形態は本実施形態に限られるものではなく、プリズムを有さない形態のものであってもよい。
【００１９】
また、光軸Ｏが通過する開口部１２０ａの周囲には、図１には図示しない後述するバヨネット機構部１０が配設されており、このバヨネット機構部１０を介して、リング状のカバー部材１が装着されている。図２は、バヨネット機構部１０からカバー部材１を取り外した状態を示している。
【００２０】
バヨネット機構部１０は、光学機器１０１の付属品を回動中心軸周りに回動動作させることによって着脱可能に保持するように構成されている。本実施形態では、バヨネット機構部１０は、光軸Ｏが通過する開口部１２０ａの周囲において、筐体１２０に固定されて設けられている。バヨネット機構部１０に付属品が装着されていない状態においては、バヨネット機構部１０は、筐体１２０を覆うカバー１０２に設けられた略円形の孔部１０２ａを介して、光学機器１０１の前方に向かって露出する。
【００２１】
カバー部材１は、バヨネット機構部１０に装着されることによって、バヨネット機構部１０を光学機器１０１の外部から見えないように覆い隠す、いわば化粧用の付属品である。バヨネット機構部１０に着脱可能な付属品の形態は、化粧用のカバー部材１に限られるものではなく、ワイドコンバータ（ワイドコンバージョンレンズ）、テレコンバータ（テレコンバージョンレンズ）又はクローズアップレンズ等のレンズ鏡筒や、フード、フィルタ又はリングフラッシュ等のアクセサリであってもよい。
【００２２】
本実施形態のバヨネット機構部１０は、光軸Ｏに沿う回動中心軸Ｃ周りに付属品を回動動作させることで、付属品の筐体１２０への着脱が可能に構成されている。以下では、光軸Ｏと、バヨネット機構部１０への着脱時に付属品を回動させる回動中心軸Ｃは略一致するものとして説明する。なお、本実施形態の光学機器１０１では、レンズ鏡筒が装着可能であることから、光軸Ｏと回動中心軸Ｃが略一致することが好ましいが、両者は一致しない形態であってもよい。
【００２３】
以下に、バヨネット機構部１０の詳細な構成について説明する。図３は、バヨネット機構部１０を正面から見た図である。図４は、バヨネット機構部１０の分解斜視図である。なお、図４は、筐体１２０から、カバー１０２を取り外した状態を示している。また、図５は、バヨネット機構部１０から、押圧部材１３、光学機器バヨネット爪手段１４及び飾り環１５を取り外した状態を示す、筐体１２０の部分拡大正面図である。
【００２４】
図４に示すように、バヨネット機構部１０は、基準面１１、基準円筒部１２、押圧部材１３、光学機器バヨネット爪手段１４、及び飾り環１５を含んで構成されている。本実施形態では、これらのうち、基準面１１及び基準円筒部１２は、合成樹脂製の筐体１２０に形成されており、押圧部材１３、光学機器バヨネット爪手段１４及び飾り環１５は、複数のネジ１６によって筐体１２０に固定されている。
【００２５】
以下の説明において、回動中心軸Ｃ（光軸Ｏ）に沿って、筐体１２０から前方に向かう側を先端側と称し、その反対を基端側と称するものとする。よって、バヨネット機構部１０は、基端側から先端側に向かって、基準面１１、基準円筒部１２、押圧部材１３、光学機器バヨネット爪手段１４及び飾り環１５が順に配設されて構成されている。図３は、バヨネット機構部１０の先端側を回動中心軸Ｃに沿って見た図と言える。
【００２６】
基準面１１は、回転中心軸Ｃに略直交する平面部を有して構成されており、バヨネット機構部１０に装着される付属品の、回転中心軸Ｃ方向の位置決めの基準となる面である。本実施形態では、基準面１１は、合成樹脂製の筐体１２０の前面に成形によって成形された平面部である。
【００２７】
図５に示すように、基準面１１は、先端側から見た場合に、筐体１２０の開口部１２０ａの周囲において回動中心軸Ｃを中心とした略円弧状又は略円環状となるように形成されている。また、詳しくは後述するが、基準面１１上には、複数の斜面２０が形成されている。なお、基準面１１は、周方向に複数に分割された形態であってもよい。基準面１１は、例えば環状に切り出された金属板からなり、筐体１２０とは別体で形成されたものであってもよい。
【００２８】
基準円筒部１２は、基準面１１よりも先端側に突出する、回動中心軸Ｃを中心とした略円筒状の部位である。基準円筒部１２は、先端側から見た場合に、略円弧状又は略円環状の基準面１１よりも内側に形成されている。また、基準円筒部１２の外周面には、径方向外側に突出する３つの凸部１２ｂ、１２ｃ及び１２ｄが形成されている。３つの凸部１２ｂ、１２ｃ及び１２ｄには、ネジ１６が螺合されるネジ穴１２ｅが形成されている。
【００２９】
基準円筒部１２は、その外周面１２ａにバヨネット機構部１０に装着される付属品が接することにより、付属品の径方向の位置決めをするための部位である。また、基準円筒部１２の外周面１２ａから径方向外側に突出する凸部１２ｂは、バヨネット機構部１０に装着される付属品が当接することにより、付属品の装着時の回動中心軸Ｃ周りの位置決めをするための部位である。
【００３０】
図３及び図４に示すように、光学機器バヨネット爪手段１４は、基準円筒部１２の先端側に複数のネジ１６によって固定される略環状の円板状の部材である。光学機器バヨネット爪手段１４は、基準円筒部１２の外周面１２ａよりも径方向外側に延出し、基準面１１と対向するように配設された複数の光学機器側固定爪１４ａを有して構成されている。また、複数の光学機器側固定爪１４ａは、回動中心軸Ｃの周方向に、複数配設されている。
【００３１】
複数の光学機器側固定爪１４ａは、バヨネット機構部１０を先端側からから見た場合（図３の視点）に、基準面１１を覆い、かつカバー１０２に設けられた略円形の孔部１０２ａの内径に届かない範囲まで延出している。すなわち、複数の光学機器側固定爪１４ａの径方向外側の端部と、カバー１０２に設けられた略円形の孔部１０２ａの内周との間には、略環状の隙間が生じている。この隙間は、付属品の基端側が挿入される部位である。
【００３２】
本実施形態では一例として、図３に示すように、光学機器バヨネット爪手段１４は、３つの光学機器側固定爪１４ａを有し、バヨネット機構部１０を先端側からから見た場合に、３つの光学機器側固定爪１４ａは、それぞれ基準円筒部１２の３つの凸部１２ｂ、１２ｃ及び１２ｄから反時計方向に所定の角度まで延在している。
【００３３】
また、複数の光学機器側固定爪１４ａは、それぞれの先端側の面１４ａａが、周囲のカバー１０２の表面（先端側の面）と略同一平面上に位置する厚さを有する。
【００３４】
この、周方向に配設された複数の光学機器側固定爪１４ａの間である爪欠落部１４ｂの外径は、基準円筒部１２の外周面１２ａの外径よりも小さい。したがって、バヨネット機構部１０を先端側からから見た場合に、この爪欠落部１４ｂの領域においては、基準円筒部１２の外周面１２ａ及び基準面１１が、先端側に向かって露出している。
【００３５】
言い換えれば、本実施形態の光学機器１０１において、カバー１０２に設けられた略円形の孔部１０２ａの内周と、カバー１０２の前面と略同一平面上にまで突出するバヨネット機構部１０の光学機器バヨネット爪手段１４の外周との間には、回動中心軸Ｃを中心とした円周溝３０が形成されている。そして、この円周溝３０は、周方向の一部において、径方向内側に向かって太くなる幅広溝部３０ａが形成されている。この円周溝３０は、付属品の基端側が挿入される部位であり、幅広溝部３０ａは、付属品側の爪部が挿入される部位である。
【００３６】
ここで、バヨネット機構部１０に装着可能な付属品の基端部の構成について説明する。具体的には、カバー部材１の構成について説明する。
【００３７】
図６は、カバー部材１を基端側から見た背面図である。図４及び図６に示すように、カバー部材１の基端側は、円筒形状部１ａが形成されている。該円筒形状部１ａは、バヨネット機構部１０の周囲に形成された円周溝３０内に挿入可能な形状を有している。そして、円筒形状部１ａの内周面には、径方向内側に向かって突出する複数の爪部１ｂが形成されている。複数の爪部１ｂの内径は、基準面１１の外径よりも小さい。この爪部１ｂの内周部が、基準円筒部１２の外周面１２と当接することによって、付属品であるカバー部材１の径方向の位置決めがなされる。
【００３８】
図７は、カバー部材１を、爪部１ｂよりも先端側において回動中心軸Ｃに直交する平面で切断した断面と、バヨネット機構部１０とを重ねて表示したものである。言い換えれば、図７は、カバー部材１の円筒形状部１を円周溝３０内に挿入した状態を示している。
【００３９】
図７に示すように、カバー部材１の複数の爪部１ｂは、バヨネット機構部１０の光学機器側固定爪１４ａ及び基準円筒部１２とは干渉せずに、円周溝３０の幅広溝３０ａ内に挿入可能な外形を有している。また、カバー部材１の複数の爪部１ｂの厚さは、バヨネット機構部１０の光学機器側固定爪１４ａと基準面１１との間の、隙間よりも薄く形成されている。
【００４０】
したがって、カバー部材１の複数の爪部１ｂが基準面１１に当接するまで円筒形状部１ａを円周溝３０内に挿入し、その後、カバー部材１を、先端側から見て時計方向に回動させることによって、カバー部材１の複数の爪部１ｂは、バヨネット機構部１０の光学機器側固定爪１４ａと基準面１１との間に挿入される（図８の状態）。
【００４１】
バヨネット機構部１０の説明に戻る。押圧部材１３は、基準円筒部１２と光学機器バヨネット爪手段１４との間に挟持される金属製の板バネである。押圧部材１３は、光学機器側固定爪１４ａと基準面１１との間に挿入された、上記カバー部材１の爪部１ｂを、基準面１１側に向かって付勢するように構成されている。
【００４２】
この押圧部材１３による付勢力によって、付属品であるカバー部材１は、バヨネット機構部１０に装着された状態において、常に爪部１ｂが基準面１１に当接し、ガタなく光学機器１０１に固定される。そして、爪部１ｂが基準面１１に当接することにより、付属品であるカバー部材１の回動中心軸Ｃ方向の位置決めがなされる。
【００４３】
以上に説明した構成により本実施形態のバヨネット機構部１０は、付属品であるカバー部材１を回動動作によって脱着可能である。
【００４４】
このような本実施形態のバヨネット機構部１０において、基準面１１上には、複数の斜面２０が形成されている。
【００４５】
図３に示すように、複数の斜面２０は、バヨネット機構部１０を先端側から見た場合に、基準面１１上であって、かつ爪欠落部１４ｂに重なる位置に形成されている。言い換えれば、斜面２０は、基準面１１の、バヨネット機構部１０を先端側から見た場合に見える箇所に形成されている。
【００４６】
本実施形態では、光学機器バヨネット爪手段１４の爪欠落部１４ｂは周方向に３ヶ所形成されており、斜面２０は、この３ヶ所の爪欠落部１４ｂの基端側にあたる位置に形成されている。
【００４７】
図９に示すように、斜面２０は、基準面１１から先端側に向かって所定の高さＨまで起き上がるように形成されている。本実施形態では、斜面２０は、バヨネット機構部１０を先端側から見た場合に、回動中心軸Ｃ周りに反時計方向（図９中の矢印ＣＣＷで示す方向、図９中の左から右）に進むにつれて、基準面から先端側に向かって遠ざかるように形成されている。
【００４８】
すなわち、付属品であるカバー部材１を、バヨネット機構部１０に装着する場合に、カバー部材１を回動させる方向とは反対の方向に進むにつれて、斜面２０は基準面１１から先端側に向かって所定の高さＨまで起き上がる。言い換えれば、カバー部材１を、バヨネット機構部１０から取り外す場合に、カバー部材１を回動中心軸Ｃ周りに回動させる方向に進むにつれて、斜面２０は基準面１１から先端側に向かって、所定の高さＨまで起き上がる。
【００４９】
以上に説明した本実施形態のバヨネット機構部１０の作用について、図１０及び図１１を参照して説明する。図１０は、バヨネット機構部１０に、付属品であるカバー部材１が装着された状態における、基準面１１、光学機器バヨネット爪手段１４、斜面２０及びカバー部材１の爪部１ｂの関係について示す模式図である。
【００５０】
図１０に示すように、カバー部材１がバヨネット機構部１０に装着された状態においては、カバー部材１の爪部１ｂは、光学機器側固定爪１４ａと基準面１１との間に挿入されており、かつ押圧部材１３によって基準面１１側に向かって付勢されている。
【００５１】
一方、図１１は、バヨネット機構部１０に装着されていたカバー部材１を、取り外す方向に回動操作した状態における、基準面１１、光学機器バヨネット爪手段１４、斜面２０及びカバー部材１の爪部１ｂの関係について示す模式図である。
【００５２】
図１１に示すように、バヨネット機構部１０に装着されていたカバー部材１を、取り外す方向に回動操作した場合、すなわち本実施形態ではカバー部材１を先端側から見て回動中心軸Ｃ周りに反時計方向に回動させた場合には、爪欠落部１４ｂ内においてカバー部材１の爪部１ｂが斜面２０に乗り上げて、斜面２０に沿って移動することから、爪部１ｂは、基準面１１から離間する方向に移動する。
【００５３】
ここで、斜面２０は、周方向に３ヶ所形成された爪欠落部１４ｂ内の全てに形成されていることから、３つの爪部１ｂは、爪欠落部１４ｂ内において、均等に回動中心軸Ｃに沿って先端側に向かって、高さＨだけ押し出される。
【００５４】
すなわち、本実施形態においてバヨネット機構部１０に装着されていたカバー部材１を、取り外す方向に回動操作した場合、カバー部材１は、回動中心軸Ｃに沿って先端方向に高さＨだけ押し出される。
【００５５】
以上のようなバヨネット機構部１０を備える光学機器１０１によれば、バヨネット機構部１０に装着された付属品を取り外すように回動操作した場合に、付属品がバヨネット機構部１０の円周溝から抜ける方向に押し出されるため、付属品に指を掛けやすく、容易かつ素早く付属品を取り外すことが可能となる。
【００５６】
特に、カバー部材１のように、光学機器１０１に化粧目的で装着される付属品は、光学機器１０１の小型化の要求に伴い、薄く、かつ光学機器１０１の外装部材であるカバー１０２に密着する形状であることが好ましい。従来の技術であれば、このような薄くカバー１０２に密着する付属品を、バヨネット機構部から取り外すことは困難である。しかし、本実施形態によれば、カバー部材１のように、薄くカバー１０２に密着する付属品であっても、カバー１０２をバヨネット機構部１０から取り外す方向（本実施形態では先端側から見て反時計方向）に回動操作すれば、図１２に示すように、カバー部材１が高さＨだけ光学機器１０１の外装部材であるカバー１０２から離間する方向に押し出されるため、容易にカバー部材１をバヨネット機構部から取り外すことが可能となる。
【００５７】
なお、本発明は、上述した実施形態に限られるものではなく、特許請求の範囲及び明細書全体から読み取れる発明の要旨或いは思想に反しない範囲で適宜変更可能であり、そのような変更を伴う光学機器もまた本発明の技術的範囲に含まれるものである。
【００５８】
本発明に係る光学機器は、上述の実施形態で説明したカメラの形態に限らず、レンズ交換可能なカメラシステムにおける交換レンズや、双眼鏡、望遠鏡、内視鏡等の様々な光学機器であってもよい。
【産業上の利用可能性】
【００５９】
前述のように、本発明はバヨネット機構部により付属品を着脱可能に構成された光学機器に対して好適である。
【符号の説明】
【００６０】
１    カバー部材、
１ａ    円筒形状部、
１ｂ    爪部、
１０    バヨネット機構部、
１１    基準面、
１２    基準円筒部、
１２ａ    外周面、
１２ｂ    凸部（回動規制部）、
１２ｃ    凸部、
１２ｄ    凸部
１２ｅ    ネジ穴、
１３    押圧部材、
１４    光学機器バヨネット爪手段、
１４ａ    光学機器側固定爪、
１４ｂ    爪欠落部、
１５    飾り環
１６    ネジ、
２０    斜面、
３０    円周溝、
３０ａ    幅広溝、
１０１    光学機器、
１０２    カバー、
１０３    制御装置、
１０４    閃光発光装置、
１０５    レリーズスイッチ、
１０６    電源操作スイッチ、
１１０    撮像ユニット、
１１１    プリズム、
１１２    撮像素子、
１２０    筐体、
１２０ａ    開口部。
【図１】
2013235074.tif 000003
【図２】
2013235074.tif 000004
【図３】
2013235074.tif 000005
【図４】
2013235074.tif 000006
【図５】
2013235074.tif 000007
【図６】
2013235074.tif 000008
【図７】
2013235074.tif 000009
【図８】
2013235074.tif 000010
【図９】
2013235074.tif 000011
【図１０】
2013235074.tif 000012
【図１１】
2013235074.tif 000013
【図１２】
2013235074.tif 000014